(57)【要約】【課題】  干渉縞を抑えつつ鮮明な画像を表示することができる画像表示方法を提供する。【解決手段】  １フレームの１画素を表現するために、ＬＥＤ（Ｒ３−３）を駆動するための階調情報を４個生成する。ＬＥＤ（Ｒ３−３）に対応する画素ｐ３−３とこの画素ｐ３−３を含む２行２列の範囲にある４画素の各々を基準画素として選択する。これら４個の基準画素の各々について、各基準画素を中心とする３行３列の範囲にある画素の階調情報に基づいて発光階調情報を求める。１フレーム期間に、求めた階調情報に基づいてＬＥＤ（Ｒ３−３）を４通りに発光駆動する。【選択図】  図４
2006047911.tif 000002
【特許請求の範囲】
【請求項１】
第１色を発光する第１発光素子と第２色を発光する第２発光素子とが第１方向に交互に配置された複数の第１発光素子列と、
前記第１発光素子と第３色を発光する第３発光素子とが前記第１方向に交互に配置された複数の第２発光素子列とを備え、
前記第１発光素子と前記第２発光素子とが前記第１方向対して垂直な第２方向にも交互に並ぶように、前記第１発光素子列と前記第２発光素子列とが交互に配置された画像表示装置に、
各画素が前記第１色に関する第１階調情報、前記第２色に関する第２階調情報および前記第３色に関する第３階調情報を有する画像の各フレームを表示する画像表示方法であって、
前記第１発光素子の各々について、前記フレーム上で当該第１発光素子に対応する第１画素を含む２行２列の範囲にある画素の各々を第１基準画素として選択し、
前記第１基準画素の各々について、当該第１基準画素を含むａ行ｂ列（ａ＞０、ｂ＞１またはａ＞１、ｂ＞０）の範囲にある複数の画素を第１参照画素群として選択し、
前記第１基準画素の各々に対応する前記第１参照画素群の各画素が持つ前記第１階調情報の各々を第１輝度値に変換し、
前記第１基準画素の各々に対応する前記第１参照画素群の各画素に関する前記第１輝度値を重み付き加算して、前記第１基準画素の各々に対応する第１発光情報を求め、
前記画像の１フレーム期間に、前記第１基準画素の各々に対応する前記第１発光情報を所定の順序で用いて、前記第１発光素子を発光駆動する、
画像表示方法。
【請求項２】
前記第１発光情報は、前記第１基準画素の各々に対応する前記第１参照画素群の各画素に関する前記第１輝度値を重み付き加算して得られる値を、階調に変換して求められる、
請求項１に記載の画像表示方法。
【請求項３】
さらに、前記第２発光素子の各々について、前記フレーム上で前記第２発光素子に対応する第２画素を含む２行２列の範囲にある画素の各々を第２基準画素として選択し、
前記第２基準画素の各々について、当該第２基準画素を含むｃ行ｄ列（ｃ＞０、ｄ＞１またはｃ＞１、ｄ＞０）の範囲にある複数の画素を第２参照画素群として選択し、
前記第２基準画素の各々に対応する前記第２参照画素群の各画素が持つ前記第２階調情報の各々を第２輝度値に変換し、
前記第２基準画素の各々に対応する前記第２参照画素群の各画素に関する前記第２輝度値を重み付き加算して、前記第２基準画素の各々に対応する第２発光情報を求め、
前記画像の１フレーム期間に、前記第２基準画素の各々に対応する前記第２発光情報を所定の順序で用いて、前記第２発光素子を発光駆動する、
請求項１に記載の画像表示方法。
【請求項４】
前記第１発光情報は、前記第１基準画素の各々に対応する前記第１参照画素群の各画素に関する前記第１輝度値を重み付き加算して得られる値を、階調に変換して求められ、
前記第２発光情報は、前記第２基準画素の各々に対応する前記第２参照画素群の各画素に関する前記第２輝度値を重み付き加算して得られる値を、階調に変換して求められる、
請求項３に記載の画像表示方法。
【請求項５】
さらに、前記第３発光素子の各々について、前記フレーム上で前記第３発光素子に対応する第３画素を含む２行２列の範囲にある画素の各々を第３基準画素として選択し、
前記第３基準画素の各々について、当該第３基準画素を含むｅ行ｆ列（ｅ＞０、ｆ＞１またはｅ＞１、ｆ＞０）の範囲にある複数の画素を第３参照画素群として選択し、
前記第３基準画素の各々に対応する前記第３参照画素群の各画素が持つ前記第３階調情報の各々を第３輝度値に変換し、
前記第３基準画素の各々に対応する前記第３参照画素群の各画素に関する前記第３輝度値を重み付き加算して、前記第３基準画素の各々に対応する第３発光情報を求め、
前記画像の１フレーム期間に、前記各第３基準画素に対応する前記第３発光情報を所定の順序で用いて、前記第３発光素子を駆動する、
請求項３に記載の画像表示方法。
【請求項６】
前記第１発光情報は、前記第１基準画素の各々に対応する前記第１参照画素群の各画素に関する前記第１輝度値を重み付き加算して得られる値を、階調に変換して求められ、
前記第２発光情報は、前記第２基準画素の各々に対応する前記第２参照画素群の各画素に関する前記第２輝度値を重み付き加算して得られる値を、階調に変換して求められ、
前記第３発光情報は、前記第３基準画素の各々に対応する前記第３参照画素群の各画素に関する前記第３輝度値を重み付き加算して得られる値を、階調に変換して求められる、
請求項５に記載の画像表示方法。
【請求項７】
前記「所定の順序」は、前記第１、第２および第３発光素子の駆動で共通であり、
前記第１、第２および第３発光素子の発光駆動は、各順序毎に同期して行われる、
請求項５に記載の画像表示方法。
【請求項８】
前記第１画素に対応する前記第１発光情報を用いた前記第１発光素子の発光駆動と、
前記第２画素に対応する前記第２発光情報を用いた前記第２発光素子の発光駆動と、
前記第３画素に対応する前記第３発光情報を用いた前記第３発光素子の発光駆動と、
が同期して行われ、
前記第１画素の、前記第２方向と平行な第３方向に隣接する第１−Ａ画素に対応する前記第１発光情報を用いた前記第１発光素子の発光駆動と、
前記第２画素の、前記第３方向に隣接する第２−Ａ画素に対応する前記第２発光情報を用いた前記第２発光素子の発光駆動と、
前記第３画素の、前記第３方向に隣接する第３−Ａ画素に対応する前記第３発光情報を用いた前記第３発光素子の発光駆動と、
が同期して行われ、
前記第１−Ａ画素の、前記第１方向と平行な第４方向に隣接する第１−Ｂ画素に対応する前記第１発光情報を用いた前記第１発光素子の発光駆動と、
前記第２−Ａ画素の、前記第４方向に隣接する第２−Ｂ画素に対応する前記第２発光情報を用いた前記第２発光素子の発光駆動と、
前記第３−Ａ画素の、前記第４方向に隣接する第３−Ｂ画素に対応する前記第３発光情報を用いた前記第３発光素子の発光駆動と、
が同期して行われ、
前記第１画素の、前記第４方向に隣接する第１−Ｃ画素に対応する前記第１発光情報を用いた前記第１発光素子の発光駆動と、
前記第２画素の、前記第４方向に隣接する第２−Ｃ画素に対応する前記第２発光情報を用いた前記第２発光素子の発光駆動と、
前記第３画素の、前記第４方向に隣接する第３−Ｃ画素に対応する前記第３発光情報を用いた前記第３発光素子の発光駆動と、
が同期して行われる、
請求項７に記載の画像表示方法。
【請求項９】
第１色を発光する第１発光素子と第２色を発光する第２発光素子とが第１の方向に交互に配置された複数の第１発光素子列と、
前記第１発光素子と第３色を発光する第３発光素子とが前記第１の方向に交互に配置された複数の第２発光素子列とを備え、
前記第１発光素子と前記第２発光素子とが前記第１の方向対して垂直な第２の方向にも交互に並ぶように、前記第１発光素子列と前記第２発光素子列とが交互に配置された画像表示装置に、
各画素が前記第１色に関する第１階調情報、前記第２色に関する第２階調情報および前記第３色に関する第３階調情報を有する画像の各フレームを表示する画像表示方法であって、
前記フレーム上で前記第１発光素子に対応する位置にある第１−１画素を含む所定の範囲に分布する複数の画素の前記第１階調情報を用いて、前記第１−１画素に対応する画素の前記第１階調情報を求められた第１サブフィールドを生成し、
前記第１−１画素の前記第１方向と平行な第３方向側に隣接する第１−２画素を含む所定の範囲に分布する複数の画素の前記第１階調情報を用いて、前記第１−１画素に対応する画素の前記第１階調情報を求められた第２サブフィールドを生成し、
前記第１−１画素の前記第３方向に対して垂直な第４方向側に隣接する第１−３画素を含む所定の範囲に分布する複数の画素の前記第１階調情報を用いて、前記第１−１画素に対応する画素の前記第１階調情報を求められた第３サブフィールドを生成し、
前記第１−３画素の前記第３方向側に隣接する第１−４画素を含む所定の範囲に分布する複数の画素の前記第１階調情報を用いて、前記第１−１画素に対応する画素の前記第１階調情報を求められた第４サブフィールドを生成し、
前記画像の１フレーム期間に、前記第１、第２、第３および第４サブフィールドを表示する、
画像表示方法。
【請求項１０】
前記第１サブフィールドの生成では、さらに、前記フレーム上で前記第２発光素子に対応する位置にある第２−１画素を含む所定の範囲に分布する複数の画素が持つ前記第２階調情報を用いて、前記第２−１画素に対応する画素の前記第２階調情報を求め、
前記第２サブフィールドの生成では、さらに、前記第２−１画素の前記第３方向側に隣接する第２−２画素を含む所定の範囲に分布する複数の画素が持つ前記第２階調情報を用いて、前記第２−１画素に対応する画素の前記第２階調情報を求め、
前記第３サブフィールドの生成では、さらに、前記第２−１画素の前記第４方向側に隣接する第２−３画素を含む所定の範囲に分布する複数の画素が持つ前記第２階調情報を用いて、前記第２−１画素に対応する画素の前記第２階調情報を求め、
前記第４サブフィールドの生成では、さらに、前記第２−３画素の前記第３方向側に隣接する第２−４画素を含む所定の範囲に分布する複数の画素が持つ前記第２階調情報を用いて、前記第２−１画素に対応する画素の前記第２階調情報を求める、
請求項９に記載の画像表示方法。
【請求項１１】
前記第１サブフィールドの生成では、さらに、前記フレーム上で前記第３発光素子に対応する位置にある第３−１画素を含む所定の範囲に分布する複数の画素が持つ前記第３階調情報を用いて、前記第３−１画素に対応する画素の階調情報を求め、
前記第２サブフィールドの生成では、さらに、前記第３−１画素の前記第３方向側に隣接する第３−２画素を含む所定の範囲に分布する複数の画素が持つ前記第３階調情報を用いて、前記第３−１画素に対応する画素の前記第３階調情報を求め、
前記第３サブフィールドの生成では、さらに、前記第３−１画素の前記第４方向側に隣接する第３−３画素を含む所定の範囲に分布する複数の画素が持つ前記第３階調情報を用いて、前記第３−１画素に対応する画素の前記第３階調情報を求め、
前記第４サブフィールドの生成では、さらに、前記第３−３画素の前記第３方向側に隣接する第３−４画素を含む所定の範囲に分布する複数の画素が持つ前記第３階調情報を用いて、前記第３−１画素に対応する画素の前記第３階調情報を求める、
請求項１０に記載の画像表示方法。
【請求項１２】
前記第１、第２、第３および第４サブフィールドの生成では、当該フィールド上の各画素の階調情報は、
前記フレーム上の複数の画素が持つ第１、第２および第３階調情報、または、これらから求められた輝度値、
の重み付き加算により求められる、
請求項１１に記載の画像表示方法。
【請求項１３】
前記第１色、第２色および第３色は、緑色、赤色および青色の３色いずれかであり、互いに他の色と異なっている、
請求項１から請求項１２に記載の画像表示方法。
【請求項１４】
第１色を発光する第１発光素子と第２色を発光する第２発光素子とが第１の方向に交互に配置された第１発光素子列と、前記第１発光素子と第３色を発光する第３発光素子とが前記第１の方向に交互に配置された第２発光素子列とが、前記第１発光素子と前記第２発光素子とが前記第１の方向対して垂直な第２の方向にも交互に並ぶように交互に配列された表示部と、
各画素が前記第１色に関する第１階調情報、前記第２色に関する第２階調情報および前記第３色に関する第３階調情報とを有する画像を記憶するメモリと、
前記画像上で前記第１発光素子の各々に対応する位置にある第１画素の各々について、当該画素を含む２行２列の範囲にある画素の各々を第１基準画素として選択するとともに、前記画像上で前記第２発光素子の各々に対応する位置にある第２画素の各々について、当該画素を含む２行２列の範囲にある画素の各々を第２基準画素として選択し、さらに、前記画像上で前記第３発光素子の各々に対応する位置にある第３画素の各々について、当該画素を含む２行２列の範囲にある画素の各々を第３基準画素として選択する選択部と、
前記メモリから、
（１）前記第１基準画素の各々に関して、当該画素を含むａ行ｂ列（ａ＞０、ｂ＞１またはａ＞１、ｂ＞０）の範囲にある複数の画素の各々が持つ前記第１階調情報と、
（２）前記第２基準画素の各々に関して、当該画素を含むｃ行ｄ列（ｃ＞０、ｄ＞１またはｃ＞１、ｄ＞０）の範囲にある複数の画素の各々が持つ前記第２階調情報と、
（３）前記第３基準画素の各々に関して、当該画素を含むｅ行ｆ列（ｅ＞０、ｆ＞１またはｅ＞１、ｆ＞０）の範囲にある複数の画素の各々が持つ前記第３階調情報と、
を読み出す読み出し部と、
前記読み出し部によって読み出された前記第１、第２および第３階調情報の各々を第１、第２および第３輝度値に変換する階調輝度変換部と、
前記第１基準画素の各々に対応する前記第１輝度値を重み付き加算して、前記第１基準画素の各々に対応する第１発光輝度値を求めるとともに、前記第２基準画素の各々に対応する前記第２輝度値を重み付き加算して、前記第２基準画素の各々に対応する第１発光輝度値を求め、さらに、前記第３基準画素の各々に対応する前記第３輝度値を重み付き加算して、前記第３基準画素の各々に対応する第３発光輝度値を求める発光輝度算出部と、
前記第１、第２および第３発光輝度値の各々を第１、第２および第３発光階調情報に変換する輝度階調変換部と、
前記画像の１フレーム期間に、前記第１、第２および第３発光階調情報を用いて、前記第１発光素子、前記第２発光素子および前記第３発光素子を発光駆動する駆動回路と、
を備える画像表示装置。
【請求項１５】
（Ａ１）前記第１発光階調情報のうち、前記第１画素に対応するものと、
（Ｂ１）前記第２発光階調情報のうち、前記第２画素に対応するものと、
（Ｃ１）前記第３発光階調情報のうち、前記第３画素に対応するものと、
を有する第１フィールド、
（Ａ２）前記第１発光階調情報のうち、前記第１画素の、前記第２方向と平行な第３方向に隣接する第１−Ａ画素に対応するものと、
（Ｂ２）前記第２発光階調情報のうち、前記第２画素の、前記第３方向に隣接する第２−Ａ画素に対応するものと、
（Ｃ２）前記第３発光階調情報のうち、前記第３画素の、前記第３方向に隣接する第３−Ａ画素に対応するものと、
を有する第２フィールド、
（Ａ３）前記第１発光階調情報のうち、前記第１−Ａ画素の、前記第１方向と平行な第４方向に隣接する第１−Ｂ画素に対応するものと、
（Ｂ３）前記第２発光階調情報のうち、前記第２−Ａ画素の、前記第４方向に隣接する第２−Ｂ画素に対応するものと、
（Ｃ３）前記第３発光階調情報のうち、前記第３−Ａ画素の、前記第４方向に隣接する第３−Ｂ画素に対応するものと、
を有する第３フィールド、および、
（Ａ４）前記第１発光階調情報のうち、前記第１画素の、前記第４方向に隣接する第１−Ｃ画素に対応するものと、
（Ｂ４）前記第２発光階調情報のうち、前記第２画素の、前記第４方向に隣接する第２−Ｃ画素に対応するものと、
（Ｃ４）前記第３発光階調情報のうち、前記第３画素の、前記第４方向に隣接する第３−Ｃ画素に対応するものと、
を有する第４フィールド、
を記憶するフィールドメモリを備え、
前記階調変換部は、前記第１フィールド、前記第２フィールド、前記第３フィールドおよび前記第４フィールドを生成し、
前記駆動回路は、前記フィールドメモリから第１、第２および第３発光階調情報をフィールド毎に読み出す、
請求項１４に記載の画像表示装置。
【発明の詳細な説明】
【技術分野】
【０００１】
本発明は、格子状に配列された三原色の光源の各々が一画素に対応する画像表示装置、および、この画像表示装置に画像を表示する方法に関する。
【背景技術】
【０００２】
赤、緑、青の三原色を発光可能な複数のＬＥＤ（発光ダイオード）が格子状に配列されている表示装置がある。この表示装置の各画素は赤、緑、青のいずれか一色を発光可能なＬＥＤを備える。すなわち、各画素は赤、緑、青のいずれか一色を表示可能である。したがって、色の再現性を確保するために、各ＬＥＤの周辺（上下左右）には、そのＬＥＤとは異なる色のＬＥＤが配置される。
【０００３】
この表示装置で色の再現性を確保しつつ画像を表示するには、ある画素の周辺に配置されている複数の画素を用いて画像の１画素を表現する必要がある。よって、一度に表示可能な縦・横の実質的な画像のサイズは、ＬＥＤの縦・横の数の半分である。すなわち、ＬＥＤの数の１／４を超える画素数を持つ画像の全体を表示するには、画像情報を間引く必要がある。
【０００４】
しかし、画像情報を間引くと画質が低下する。例えば、画像が不鮮明になったり、画像に干渉縞が生じてしまう。
【０００５】
特許第３３９６２１５号公報（特許文献１）は次の手法を提案している。まず、表示装置の各ランプと画像上の画素とを対応付ける。そして、１フレームを４つのフィールドに分けて表示する。
【０００６】
第１フィールドでは、各ランプは、そのランプに対応する画素の画素値のうち、そのランプと同じ色の成分の値に基づいて駆動される。第２フィールドでは、そのランプに対応する画素の右にある画素の画素値に基づく。第３フィールドでは、そのランプに対応する画素の右下にある画素の画素値に基づく。第４フィールドでは、そのランプに対応する画素の下にある画素の画素値に基づく。
【０００７】
すなわち、特許文献１の手法では間引き方を変えた情報を時系列的に高速表示することで、画像すべての情報を表示しようと試みている。
【特許文献１】特許第３３９６２１５号公報
【発明の開示】
【発明が解決しようとする課題】
【０００８】
しかし、特許文献１の手法では、原画像の画素を単に切り捨てて生成した画像を各サブフィールドの画像で表示している。そのため、各サブフィールドの画像には干渉縞が生じている。その結果、１フレーム期間に見える画像も、干渉縞によって画質が低下している。
【０００９】
本発明の目的は、干渉縞を抑えつつ鮮明な画像を表示可能な画像表示方法および装置を提供することである。
【課題を解決するための手段】
【００１０】
本発明の一側面の画像表示方法は画像表示装置に画像の各フレームを表示する方法である。この画像表示装置は、第１色を発光する第１発光素子と第２色を発光する第２発光素子とが第１方向に交互に配置された複数の第１発光素子列と、前記第１発光素子と第３色を発光する第３発光素子とが前記第１方向に交互に配置された複数の第２発光素子列とを備える。前記第１発光素子と前記第２発光素子とが前記第１方向対して垂直な第２方向にも交互に並ぶように、前記第１発光素子列と前記第２発光素子列とが交互に配置されている。
【００１１】
この画像表示装置に表示される画像は、各画素が前記第１色に関する第１階調情報、前記第２色に関する第２階調情報および前記第３色に関する第３階調情報を有する。
【００１２】
上記課題を解決するため、本発明の画像表示方法は、前記フレーム上で前記第１発光素子に対応する第１画素を含む２行２列の範囲にある画素の各々を第１基準画素として選択し、前記第１基準画素の各々について、当該第１基準画素を含むａ行ｂ列（ａ＞０、ｂ＞１またはａ＞１、ｂ＞０）の範囲にある、複数の画素を第１参照画素群として選択し、前記第１基準画素の各々に対応する前記第１参照画素群の各画素が持つ前記第１階調情報の各々を第１輝度値に変換し、前記第１基準画素の各々に対応する前記第１参照画素群の各画素に関する前記第１輝度値を重み付き加算して、前記第１基準画素の各々に対応する第１発光情報を求め、前記画像の１フレーム期間に、前記第１基準画素の各々に対応する前記第１発光情報を所定の順序で用いて、前記第１発光素子を発光駆動する。
【００１３】
本発明の一側面の画像表示装置は、表示部、メモリ、選択部、読み出し部、階調輝度変換部、発光輝度算出部、輝度階調変換部および駆動回路とを備える。
【００１４】
前記表示部は、第１色を発光する第１発光素子と第２色を発光する第２発光素子とが第１の方向に交互に配置された第１発光素子列と、前記第１発光素子と第３色を発光する第３発光素子とが前記第１の方向に交互に配置された第２発光素子列とを有し、前記第１発光素子と前記第２発光素子とが前記第１の方向対して垂直な第２の方向にも交互に並ぶように交互に配列されている。
【００１５】
前記メモリは、各画素が前記第１色に関する第１階調情報、前記第２色に関する第２階調情報および前記第３色に関する第３階調情報とを有する画像を記憶する。
【００１６】
前記選択部は、前記画像上で前記第１発光素子の各々に対応する位置にある第１画素の各々について、当該画素を含む２行２列の範囲にある画素の各々を第１基準画素として選択するとともに、前記画像上で前記第２発光素子の各々に対応する位置にある第２画素の各々について、当該画素を含む２行２列の範囲にある画素の各々を第２基準画素として選択し、さらに、前記画像上で前記第３発光素子の各々に対応する位置にある第３画素の各々について、当該画素を含む２行２列の範囲にある画素の各々を第３基準画素として選択する。
【００１７】
前記読み出し部は、前記メモリから、（１）前記第１基準画素の各々に関して、当該画素を含むａ行ｂ列（ａ＞０、ｂ＞１またはａ＞１、ｂ＞０）の範囲にある複数の画素の各々が持つ前記第１階調情報と、（２）前記第２基準画素の各々に関して、当該画素を含むｃ行ｄ列（ｃ＞０、ｄ＞１またはｃ＞１、ｄ＞０）の範囲にある複数の画素の各々が持つ前記第２階調情報と、（３）前記第３基準画素の各々に関して、当該画素を含むｅ行ｆ列（ｅ＞０、ｆ＞１またはｅ＞１、ｆ＞０）の範囲にある複数の画素の各々が持つ前記第３階調情報とを読み出す。
【００１８】
前記階調輝度変換部は、前記読み出し部によって読み出された前記第１、第２および第３階調情報の各々を第１、第２および第３輝度値に変換する。
【００１９】
前記発光輝度算出部は、前記第１基準画素の各々に対応する前記第１輝度値を重み付き加算して、前記第１基準画素の各々に対応する第１発光輝度値を求めるとともに、前記第２基準画素の各々に対応する前記第２輝度値を重み付き加算して、前記第２基準画素の各々に対応する第１発光輝度値を求め、さらに、前記第３基準画素の各々に対応する前記第３輝度値を重み付き加算して、前記第３基準画素の各々に対応する第３発光輝度値を求める。
【００２０】
前記輝度階調変換部は、前記第１、第２および第３発光輝度値の各々を第１、第２および第３発光階調情報に変換する。
【００２１】
前記駆動回路は、前記画像の１フレーム期間に、前記第１、第２および第３発光階調情報を用いて、前記第１発光素子、前記第２発光素子および前記第３発光素子を発光駆動する。
【発明の効果】
【００２２】
本発明によれば、格子状に配列された複数の発光素子を備え、各発光素子は一つの色を発光する表示装置に、干渉縞を抑えつつ鮮明な画像を表示することができる。
【発明を実施するための最良の形態】
【００２３】
（第１の実施形態）
（画像表示装置の画面の説明）
図１は本発明の第１の実施形態の画像表示装置の画面１００上の、発光素子の配列を示している。この画像表示装置の発光素子はＬＥＤ（発光ダイオード）である。画面１００上には、６４０列４８０行に並んだ３０７，２００個のＬＥＤがある。各ＬＥＤは１画素を表現する。各ＬＥＤは赤色、緑色または青色のいずれかの光を発する。画面１００上には、赤色のＬＥＤと緑色のＬＥＤと青色のＬＥＤとが１：２：１の比率で存在する。
【００２４】
図１でＬＥＤ（Rn-m）（n、mは整数）は、n行m列に配置された赤色のＬＥＤである。同様に、ＬＥＤ（Gn-m）はn行m列に配置された緑色のＬＥＤであり、ＬＥＤ（Bn-m）と表記された箱はn行m列に配置された緑色のＬＥＤである。
【００２５】
この画像表示装置の画面１００は、赤色のＬＥＤと緑色ＬＥＤとが交互に配置された行、例えばＬＥＤ（R1-1）、ＬＥＤ（G1-2）、ＬＥＤ（R1-3）・・・を含んでいる行１と、緑色のＬＥＤと青色のＬＥＤとが交互に配置された行、例えばＬＥＤ（G2-1）、ＬＥＤ（B2-2）、ＬＥＤ（G2-3）・・・を含んでいる行２とを持つ。赤色のＬＥＤと緑色ＬＥＤとが交互に配置された行と緑色のＬＥＤと青色のＬＥＤとが交互に配置された行とは、画面１００上で交互に配置されている。すなわち、赤色のＬＥＤと緑色ＬＥＤとが交互に配置された行の次の行は、緑色のＬＥＤと青色のＬＥＤとが交互に配置された行が配置される。
【００２６】
尚、赤色のＬＥＤと緑色のＬＥＤとは列の中でも交互に配置される。例えば図１の列１に示すように、ＬＥＤ（R1-1）の次にはＬＥＤ（G2-1）が配置され、ＬＥＤ（G2-1）の次にはＬＥＤ（R3-1）が配置される。また、緑色のＬＥＤと青色のＬＥＤとは列の中でも交互に配置される。例えば図１の列２に示すように、ＬＥＤ（G1-2）の次にはＬＥＤ（B2-2）が配置され、ＬＥＤ（B2-2）の次にはＬＥＤ（G3-2）が配置される。
【００２７】
前述した通り、画面１００上には赤色ＬＥＤと緑色ＬＥＤと青色ＬＥＤとが１：２：１の比率で存在するので、緑色のＬＥＤは、他の色のＬＥＤの半分の輝度で発光するように駆動される。このようにすることで、本実施形態の画像表示装置は適切な白色バランスで画像を表示することが可能となる。
【００２８】
本実施形態では、緑色ＬＥＤの駆動時に参照される階調情報は、他の色のＬＥＤの半分の輝度になるように調整された階調情報を用いる。尚、緑色ＬＥＤと他の色のＬＥＤとが同一の階調情報に基づいて駆動される場合であっても、緑色ＬＥＤは半分の輝度で発光するように駆動されるようにしても構わない。すなわち、ＬＥＤ駆動回路側で階調を調整しても構わない。
【００２９】
（画像の説明）
図２は本実施形態の画像表示装置の画面１００に表示する画像２００のデータ構造を示している。画像２００は横６４０画素×縦４８０画素のカラー画像である。図２で画素pn-m（n、mは整数）は、画像２００上のn行m列にある画素を表す。各画素は赤色階調情報と緑色階調情報と青色階調情報とを持つ。例えば、画素p1-4は赤色階調情報r1-4と緑色階調情報g1-4と青色階調情報b1-4とを持つ。赤色、緑色および青色階調情報は０から２５５までの整数値である。
【００３０】
尚、画像２００の各画素は、本実施形態の画像表示装置の画面１００上の各ＬＥＤに対応付けられる。すなわち、画像２００上のn行m列にある画素pn-mは、画面１００上のn行m列に配置されたX色（Xは赤色、緑色または青色のいずれか）ＬＥＤ（Xn-m）に対応する。逆に、画面１００上のn行m列に配置されたX色のＬＥＤ（Xn-m）は、画像２００上のn行m列にある画素pn-mに対応する。例えば、画面１００上の3行4列に配置されたＬＥＤ（G3-4）は、画像２００上の3行4列にある画素p3-4に対応する。
【００３１】
（画像の表示方法）
画面１００上の各ＬＥＤは一色しか表示できない。すなわち、各ＬＥＤに対応する画素が持つ情報のうち、２色分の階調情報に関しては正確に表現することができない。例えば、ＬＥＤ（G3-4）は緑色ＬＥＤなので、これに対応する画素p3-4の持つ赤色階調情報r3-4および青色階調情報b3-4に関しては、ＬＥＤ（G3-4）では正確に表現できない。色を正確に表現するには、周囲のＬＥＤを利用する必要がある。ＬＥＤ（G3-4）であれば、例えばＬＥＤ（B4-4）とＬＥＤ（R3-3）とを利用する必要がある。
【００３２】
すなわち、ＬＥＤ（R3-3）の輝度を決定するの際に、ＬＥＤ（G3-4）に対応する画素p3-4が持つ赤色階調情報r3-4も参照されることが望ましい。そのためには、例えば画像２００にフィルタをかける手法が考えられる。
【００３３】
画面１００の場合、２行２列の範囲に分布する４個のＬＥＤを組みあわせれば、一般のディスプレイ装置、例えば液晶表示装置、の画面上の１画素と同様に、色を表現することができる。４個のＬＥＤを一組で扱うので、解像度を縦横半分にすれば良いとも考えられる。具体的には、４個のＬＥＤの組に対応する４画素の各々が持つ階調情報を輝度値に変換し、得られた輝度値を平均するフィルタを用いればよいと考えられる。例えば、画素p3-3、p3-4、p4-3およびp4-4が持つ赤色階調情報r3-3、r3-4、r4-3およびr4-4の各々から求めた輝度値を平均することで、ＬＥＤ（R3-3）の適切な輝度値が求める。
【００３４】
しかし、画面１００上で各ＬＥＤは独立した一画素として配置されている。一般のディスプレイ装置とは異なり、画面１００を見ている人（視聴者）は各ＬＥＤを画面上の独立した一点として認識することができる。そのため、視聴者は４個のＬＥＤで表現する色が変化する際に各ＬＥＤの輝度変化を認識することができる。そして、視聴者は、各ＬＥＤの輝度変化を干渉縞や色割れとして認識する。
【００３５】
画面１００には赤色ＬＥＤと緑色ＬＥＤと青色ＬＥＤとが１：２：１の比率で配置されている。画面１００上では、赤色ＬＥＤは縦方向および横方向に緑色ＬＥＤと交互に配置されている。青色ＬＥＤも縦方向および横方向に緑色ＬＥＤと交互に配置されている。緑色ＬＥＤは斜め方向に連続して配置されている。
【００３６】
したがって、本実施形態の画像表示装置は、赤色と青色に関して空間波長が４画素未満である高周波成分を含む画像を、完全に表現することは困難である。このような高周波成分を含んだ画像を表示しようとすれば、画面１００上で干渉縞が見えてしまう。そこで、赤色と青色に関しては、縦・横・斜めいずれの方向についても画像２００で空間波長が４画素未満である高周波成分を除去しておくと良い。
【００３７】
また、画面１００の斜め方向には、緑色とマゼンダ色（赤色と青色との混色）とが交互に並んでいる。緑色とマゼンダ色とは補色の関係にある。そのため、斜め方向の干渉縞は目立つ。したがって、斜め方向の干渉縞を抑制する必要がある。緑色とマゼンダ色とは斜め方向に交互に並んでいるので、画像２００の斜め方向の空間波長が４画素未満である高周波成分を除去しておくと良い。すなわち、緑色に関しては斜め方向の高周波成分を除去しておくと良い。
【００３８】
しかし、このようなフィルタを適用しただけで干渉縞や色割れを抑制することは難しい。なぜならば、高周波成分のみを除去することが困難だからである。なぜならば、高周波成分のみを除去できるフィルタは、設計が複雑になるため、画像に適用する際の計算量が莫大になるからである。
【００３９】
したがって、一般に、高周波成分を除去しようとしても、高周波成分が除去しきれずに残ってしまう。あるいは、高周波成分を完全に除去した代償として中間周波数成分も減衰してしまう。画像２００に残った高周波成分は干渉縞や色割れを引き起こす。また、画像２００の中間周波数成分が減衰すると、画像２００は著しく不鮮明になる。
【００４０】
すなわち、一画素で一色しか表示できない本実施形態の画像表示装置と、一画素で色を表現することが可能な通常のディスプレイ装置とでは、特性が異なっている。そのため、本実施形態の画像表示装置に画像を表示する際に、通常のディスプレイ装置に画像を表示させる場合と同様な手法を用いても、十分な画質で表示することは難しい。
【００４１】
そこで、本実施形態の画像表示装置は、以下に説明する手法を用いて画像を表示する。本実施形態の画像表示装置は画像の１フレームから４枚のフィールドを生成する。そして、１フレーム期間に４枚のフィールドを表示する。１フレーム期間は、フレームの表示間隔である。本実施形態の１フレーム期間は１／６０秒である。したがって、本実施形態の画像表示装置は、１枚のフィールドを１／２４０秒間隔で表示する。以下、図３、図４および図８を用いて、後述するフィールド生成部５０２が４枚のフィールドを生成する手法を説明する。
【００４２】
表示部３００は、本実施形態の画像表示装置のＬＥＤの配列の一部分である。画像３１０は本実施形態の画像表示装置で表示する画像の一部分である。画像３１０は表示部３００の各ＬＥＤに対応する画素を含む。ここではＬＥＤ（R3-3）を例に説明する。
【００４３】
（ステップ８０１）フィールド生成部５０２は、画像３１０上でＬＥＤ（R3-3）に対応する画素p3-3を含む、２行２列の範囲３１１にある画素p3-3、p3-4、p4-3およびp4-4を、基準画素p3-3、p3-4、p4-3およびp4-4として選択する。これら４個の基準画素の各々はサンプリング範囲の基準位置である。すなわち、ＬＥＤ（R3-3）を発光させるための階調情報である発光階調情報は、各基準画素の位置を基準として所定の範囲にある画素の画素値に基づいて求められる。
【００４４】
（ステップ８０２）フィールド生成部５０２は、これらの選択された基準画素の各々について、さらにその画素を含む３行３列の範囲にある複数の画素を含んだ画素グループを作る。図４は画素グループの作り方を示している。
【００４５】
フィールド生成部５０２は、基準画素p3-3に関して、画像３１０−１に示すように、画素p3-3を中心とする３行３列の範囲にある画素p2-2、p2-3、p2-4、p3-2、p3-3、p3-4、p4-2、p4-3およびp4-4からなる画素グループ４０１を作る。
【００４６】
フィールド生成部５０２は、基準画素p4-3に関して、画像３１０−２に示すように、画素p4-3を中心とする３行３列の範囲にある画素p3-2、p3-3、p3-4、p4-2、p4-3、p4-4、p5-2、p5-3およびp5-4からなる画素グループ４０２を作る。
【００４７】
フィールド生成部５０２は、基準画素p3-4に関して、画像３１０−３に示すように、画素p3-4を中心とする３行３列の範囲にある画素p2-3、p2-4、p2-5、p3-3、p3-4、p3-5、p4-3、p4-4およびp4-5からなる画素グループ４０３を作る。
【００４８】
フィールド生成部５０２は、基準画素p4-4に関して、画像３１０−４に示すように、画素p4-4を中心とする３行３列の範囲にある画素p3-3、p3-4、p3-5、p4-3、p4-4、p4-5、p5-3、p5-4およびp5-5からなる画素グループ４０４を作る。
【００４９】
（ステップ８０３）フィールド生成部５０２は、各画素グループ４０１、４０２、４０３および４０４に属する各画素の赤色階調情報を輝度値に変換する。例えば、画素グループ４０１の場合、フィールド生成部５０２は赤色階調情報r2-2、r2-3、r2-4、r3-2、r3-3、r3-4、r4-2、r4-3およびr4-4を輝度値に変換する。
【００５０】
（ステップ８０４）フィールド生成部５０２は、画素グループごとの発光輝度値を求める。より具体的には、フィールド生成部５０２は、画素グループ４０１に属する画素の輝度値が重み付きで加算して、発光輝度値Ar3-3-1を求める。他の画素グループについても同様に、画素グループ４０２に関する発光輝度値Ar3-3-2、画素グループ４０３に関する発光輝度値Ar3-3-3および画素グループ４０４に関する発光輝度値Ar3-3-4を求める。
【００５１】
（ステップ８０５）フィールド生成部５０２は、求められた発光輝度値Ar3-3-1、Ar3-3-2、Ar3-3-3およびAr3-3-4の各々を階調情報に変換して、発光階調情報r3-3-1、r3-3-2、r3-3-3およびr3-3-4を求める。
【００５２】
（ステップ８０６）フィールド生成部５０２は、発光階調情報r3-3-1、r3-3-2、r3-3-3およびr3-3-4を、４枚のフィールド上のＬＥＤ（R3-3）に対応する位置にある画素の階調情報として出力する。
【００５３】
本実施形態では、第１フィールドのＬＥＤ（R3-3）に対応する位置にある画素の階調情報は発光階調情報r3-3-1である。第２フィールドのＬＥＤ（R3-3）に対応する位置にある画素の階調情報は発光階調情報r3-3-2である。第３フィールドのＬＥＤ（R3-3）に対応する位置にある画素の階調情報は発光階調情報r3-3-3である。第４フィールドのＬＥＤ（R3-3）に対応する位置にある画素の階調情報は発光階調情報r3-3-4である。
【００５４】
画像２００とは異なり、各フィールドの各画素は、赤色、緑色および青色の３種類の階調情報を持つ必要はない。各フィールドの各画素は少なくとも１種類の階調情報を持っていれば良い。なぜならば、画面１００の各画素、すなわち各ＬＥＤは、一色しか表示できないからである。
【００５５】
他のＬＥＤについても同様な処理を行うことにより、４枚のフィールド上の各ＬＥＤに対応する位置にある画素の階調情報が求められる。すべてのＬＥＤについて処理を行うと４枚のフィールドが生成される。
【００５６】
（ステップ８０７）本実施形態の画像表示装置は、これら４枚のフィールドを、１フレーム期間に、第１、第２、第３そして第４フィールドの順番に表示する。
【００５７】
これら４枚のフィールドは異なるサンプリング範囲で収集された階調情報に基づいて生成されているため、４枚のフィールドを低速表示する（例えば、１フィールドを１／１２０秒で表示する）と画像が振動して見える。しかし、４枚のフィールドを１フレーム期間内に高速表示する（例えば、１フィールドを１／２４０秒で表示する）と、視聴者は振動を認識できない。
【００５８】
前述したように、フィルタ処理だけでは干渉縞や色割れを完全に防ぐことは困難である。本実施形態の画像表示装置が生成した４枚のフィールドの各々にも、干渉縞や色割れが生じている。しかし、本実施形態の画像表示装置は、各フィールドの各画素の発光階調情報を、複数の画素の階調情報を参照して求めているので、各フィールドの干渉縞や色割れは従来に比べて軽微である。よって、４枚のフィールドを１フレーム期間内に高速表示する（例えば、１フィールドを１／２４０秒で表示する）と、振動の影響により干渉縞や色割れは空間的に分散され、視聴者によって視認されにくくなる。
【００５９】
また、最も密集した４点（例えば、画素p3-3、p3-4、p4-3およびp4-4）がサンプリング範囲の基準画素として選択されているので、フィールド間での画像の変動は微小である。そのため、画像中の細かい模様は、画像の振動による影響をほとんど受けない。また、画像の振動によってエッジ部分の色割れが減少するので、色または輝度の差が大きい領域間のエッジほど明瞭になる。
【００６０】
（画像表示装置の構成）
図５は本実施形態の画像表示装置の構成を示すブロック図である。本実施形態の画像表示装置は、外部から入力された画像をフレーム単位で順次記憶するフレームメモリ５０１と、フレームメモリ５０１に記憶された１枚のフレームから、４枚のフィールドを生成するフィールド生成部５０２と、フィールド生成部５０２で生成されたフィールドを順次記憶するフィールドメモリ５０３と、前述の画面１００と同様なマトリクス状に並んだＬＥＤを備える表示部５０５と、フィールドメモリ５０３に記憶されたフィールドの各画素の階調情報に基づいてフィールドの各画素に対応するＬＥＤを発光駆動するＬＥＤ駆動回路５０４とを備える。
【００６１】
フレームメモリ５０１は外部から入力された画像をフレーム単位で順次記憶する。本実施形態の画像表示装置に入力される画像は、前述の画像２００である。すなわち、各画素が赤色、緑色および青色階調情報を持つ、横６４０画素×縦４８０画素の画像である。
【００６２】
フィールド生成部５０２は、フレームメモリ５０１から１枚のフレームのデータを読み出して４枚のフィールドを生成する。生成される各フィールドは、各画素が少なくとも１種類の階調情報を持つ。フィールド生成部５０２は、生成されたフィールドをフィールドメモリ５０３に格納する。
【００６３】
フィールドメモリ５０３は、フィールド生成部５０２で生成された各フィールドを記憶する。
【００６４】
ＬＥＤ駆動回路５０４は、フィールドメモリ５０３からフィールド上の各画素の階調情報を読み出す。ＬＥＤ駆動回路５０４は、表示部５０５上のＬＥＤを階調情報に従って発光駆動する。ＬＥＤ駆動回路５０４は、フィールド上の各画素に対応するＬＥＤを発光駆動する。
【００６５】
表示部５０５は、マトリクス状に配列された赤色、緑色および青色のＬＥＤを持つ。配列は、前述した画面１００と同様である。
【００６６】
（フィールド生成部５０２の構成）
フィールド生成部５０２は、フィールド上でＬＥＤ（Rs-i）（sは奇数、iは奇数）に対応する画素ps-iの階調情報を求めるＲ画素演算部５０２−２と、フィールド上でＬＥＤ（Gs-j）（jは偶数）に対応する画素ps-jの階調情報を求めるＧ画素演算部５０２−３と、フィールド上でＬＥＤ（Gt-i）（tは偶数）に対応する画素pt-iの階調情報を求めるＧ画素演算部５０２−４と、フィールド上でＬＥＤ（Bt-j）に対応する画素pt-jの階調情報を求めるＢ画素演算部５０２−５とを備える。尚、j=i+1、t=s+1という関係を満たすものとする。
【００６７】
さらに、フィールド生成部５０２は、Ｒ画素演算部５０２−２、Ｇ画素演算部５０２−３、Ｇ画素演算部５０２−４およびＢ画素演算部５０２−５の各々が必要とする階調情報を供給する分配器５０２−１を備える。また、Ｒ画素演算部５０２−２、Ｇ画素演算部５０２−３、Ｇ画素演算部５０２−４およびＢ画素演算部５０２−５の各々が求めた階調情報を、フィールドメモリ５０３内の対応する位置に記憶させる集合部５０２−６を備える。
【００６８】
分配器５０２−１は、上述のsとiとを別々に2ずつ増加させながら、順にサンプリングの基準画素を選択していく。本実施形態では縦４８０画素×横６４０画素である。よって、sは１から６３９まで２ずつ増加する。また、iは１から４７９まで２ずつ増加する。最初はiを固定してsを変化させる。sが６３９まで到達したらiを増加させて、再びsを１から増加させる。分配器５０２−１は、画像２００の全画素について走査して、基準画素ps-i、ps-j、pt-iおよびpt-jを選択していく。
【００６９】
分配器５０２−１は、フレームメモリ５０１から、画像２００上で基準画素ps-iの左上にある画素p(s-1)-(i-1)と基準画素pt-jの右下にある画素p(t+1)-(j+1)とを含む４行４列の範囲にある画素の赤色、緑色および青色階調情報を読み出す。
【００７０】
分配器５０２−１は、基準画素ps-iを中心とする３行３列の範囲にある画素の赤色階調情報を左上の画素の赤色階調情報から順にＲ画素演算部５０２−２に供給する。すなわち、分配器５０２−１は、画素p(s-1)-(j-1)→画素p(s-1)-j→画素p(s-1)-(j+1)→画素ps-(j-1)→画素ps-j→画素ps-(j+1)→画素p(s+1)-(j-1)→画素p(s+1)-j→画素p(s+1)-(j+1)の順に赤色階調情報を供給する。つまり、赤色階調情報r(s-1)-(j-1)→赤色階調情報r(s-1)-j→赤色階調情報r(s-1)-(j+1)→赤色階調情報rs-(j-1)→赤色階調情報rs-j→赤色階調情報rs-(j+1)→赤色階調情報r(s+1)-(j-1)→赤色階調情報r(s+1)-j→赤色階調情報r(s+1)-(j+1)の順に供給する。
【００７１】
分配器５０２−１は、Ｒ画素演算部５０２−２の場合と同様にして、Ｇ画素演算部５０２−３、Ｇ画素演算部５０２−４およびＢ画素演算部５０２−５にも緑色および青色階調情報を供給する。
【００７２】
すなわち、分配器５０２−１は、基準画素ps-jを中心とする３行３列の範囲にある画素の緑色階調情報をＧ画素演算部５０２−３に供給する。また、分配器５０２−１は、基準画素pt-iを中心とする３行３列の範囲にある画素の緑色階調情報をＧ画素演算部５０２−４に供給する。また、分配器５０２−１は、基準画素pt-jを中心とする３行３列の範囲にある画素の青色階調情報をＢ画素演算部５０２−５に供給する。
【００７３】
Ｒ画素演算部５０２−２は、供給された赤色階調情報の各々を輝度値に変換する。Ｒ画素演算部５０２−２は、輝度値を加重平均して発光輝度値を求める。そして、Ｒ画素演算部５０２−２は、発光輝度値を階調情報に逆変換して、平均赤色階調情報を求める。
【００７４】
まず、Ｒ画素演算部５０２−２は、以下の数式に基づいて赤色階調情報を輝度値に変換する。尚、この式では、赤色階調情報はＬｖであり、輝度値はＬｕｍである。
【数１】
2006047911.tif 000003
すなわち、Ｒ画素演算部５０２−２は、まず、供給された赤色階調情報の各々を１／２５５倍する。そして、Ｒ画素演算部５０２−２は、１／２５５倍された各赤色階調情報を、γ乗して輝度値を求める。本実施形態ではγ＝２．２を用いる。
【００７５】
そして、Ｒ画素演算部５０２−２は求められた輝度値Ｌｕｍに対して以下の計算を行う。
【００７６】
（１）Ｒ画素演算部５０２−２は、赤色階調情報r(s-1)-(i-1)、r(s-1)-(i+1)、r(s+1)-(i-1)およびr(s+1)-(i+1)から求められた輝度値には、１／１６を乗じる。
【００７７】
（２）Ｒ画素演算部５０２−２は、赤色階調情報r(s-1)-i、rs-(i-1)、rs-(i+1)およびr(s+1)-iから求められた輝度値には、１／８を乗じる。
【００７８】
（３）Ｒ画素演算部５０２−２は、赤色階調情報rs-iから求められた輝度値には１／４を乗じる。
【００７９】
すなわち、Ｒ画素演算部５０２−２は、基準画素ps-iを中心とする３行３列の範囲にある画素のうち、左上・右上・左下・右下の画素から取得した赤色階調情報から求めた輝度値を１／１６倍する。Ｒ画素演算部５０２−２は、上・下・左・右の画素に関しては１／８倍する。Ｒ画素演算部５０２−２は、中心の画素に関しては１／４倍する。
【００８０】
乗算が完了したら、Ｒ画素演算部５０２−２は乗算後の輝度値の和である発光輝度値を求める。この発光輝度値は、乗算前の輝度値を加重平均した値である。
【００８１】
この計算は、次の式で表される。尚、この式では、赤色階調情報rs-iから求められた輝度値はＬｕｍ[s,i]であり、発光輝度値は＜Ｌｕｍ＞である。また、Ｆu,vは行列の各要素である。
【数２】
2006047911.tif 000004
そして、Ｒ画素演算部５０２−２は、発光輝度値を（１／γ）乗した後に２５５を乗じることにより、発光輝度値から発光階調情報を求める。すなわち、以下の数式により、発光輝度値＜Ｌｕｍ＞を発光階調情報＜Ｌｖ＞を求める。
【数３】
2006047911.tif 000005
そして、Ｒ画素演算部５０２−２は、求めた発光階調情報を集合器５０２−６に出力する。
【００８２】
Ｂ画素演算部５０２−５は、供給された青色階調情報の各々に対してＲ画素演算部５０２−２と同様な演算を行うことにより、発光階調情報を求める。Ｂ画素演算部５０２−５は、求めた発光階調情報を集合器５０２−６に出力する。
【００８３】
Ｇ画素演算部５０２−３は、供給された緑色階調情報の各々に対してＲ画素演算部５０２−２と同様な演算を行うことにより、発光階調情報を求める。ただし、Ｇ画素演算部５０２−３は、輝度値に対しては以下の計算を行う。
【００８４】
（１）Ｇ画素演算部５０２−３は、緑色階調情報g(s-1)-(j-1)、g(s-1)-(j+1)、g(s+1)-(j-1)およびg(s+1)-(j+1)から求められた輝度値には、−１／３２を乗じる。
【００８５】
（２）Ｇ画素演算部５０２−３は、緑色階調情報g(s-1)-j、gs-(j-1)、gs-(j+1)およびg(s+1)-jから求められた輝度値には、１／１６を乗じる。
【００８６】
（３）Ｇ画素演算部５０２−３は、緑色階調情報gs-jから求められた輝度値には３／８を乗じる。
【００８７】
すなわち、Ｇ画素演算部５０２−３は、基準画素ps-jを中心とする３行３列の範囲にある画素のうち、左上・右上・左下・右下の画素から取得した緑色階調情報から求めた輝度値を−１／３２倍する。Ｇ画素演算部５０２−３は、上・下・左・右の画素に関しては１／１６倍する。Ｇ画素演算部５０２−３は、中心にある画素に関しては３／８倍する。
【００８８】
乗算が完了したら、Ｇ画素演算部５０２−３は乗算後の輝度値の和である発光輝度値を求める。この発光輝度値は、乗算前の輝度値を加重平均した値の１／２倍の値である。Ｇ画素演算部５０２−３は、発光輝度値を（１／γ）乗した後に２５５を乗じることにより、発光輝度値から発光階調情報を求める。
【００８９】
この計算は、次の式で表される。尚、この式では、緑色階調情報gs-jから求められた輝度値はＬｕｍ[s,i]であり、発光輝度値は＜Ｌｕｍ＞である。また、Ｆu,vは行列の各要素である。
【数４】
2006047911.tif 000006
そして、Ｇ画素演算部５０２−３は、求めた発光階調情報を集合器５０２−６に出力する。
【００９０】
Ｇ画素演算部５０２−４は、供給された緑色階調情報の各々に対してＧ画素演算部５０２−３と同様な演算を行うことにより、発光階調情報を求める。Ｇ画素演算部５０２−４は、求めた発光階調情報を集合器５０２−６に出力する。
【００９１】
集合器５０２−６は、Ｒ画素演算部５０２−２、Ｇ画素演算部５０２−３、Ｇ画素演算部５０２−４およびＢ画素演算部５０２−５から出力された発光階調情報をフィールドメモリ５０３に格納する。集合器５０２−６は、各発光階調情報を、画像２００の各画素と画面１００の各ＬＥＤとの対応関係によって定まる位置に格納する。
【００９２】
以上に説明したように、本実施形態によれば、比較的簡単な計算により、干渉縞を抑えつつ鮮明な画像を表示することができる。
【００９３】
（第２の実施形態）
以下、本発明の第２の実施形態の画像表示装置について説明する。この実施形態は、第１の実施形態の画像２００の階調情報から発光階調情報を求める際のフィルタが異なる。
【００９４】
第１の実施形態で用いられたフィルタは、数２に示されたＦu,vである。数２のＦu,vは、縦・横・斜めのいずれの方向についても高周波成分を除去可能なフィルタの一例である。本実施形態では、数２と類似した特性を持つフィルタとして次式のフィルタを用いる。
【数５】
2006047911.tif 000007
数５のフィルタは２行２列のフィルタである。したがって、本実施形態の画像表示装置は図７の画素グループ７０１、７０２、７０３および７０４に示すように、画素ps-iを右下に含む２行２列の範囲にある画素の情報を参照して発光階調情報を求める。もちろん、画素ps-iを左上に含む２行２列の範囲にある画素を参照しても構わない。
【００９５】
また、上記の数４に示したＦu,vは、斜め方向について高周波成分を除去可能なフィルタの一例である。より高次のフィルタ（例えば５行５列）を使用して、縦横方向の高周波成分を通しつつ斜め方向の高周波成分を除去しても良い。
【００９６】
（変形例）
＜フィールド生成部５０２の変形例＞
図６はコンピュータの概略構成を示すブロック図である。このコンピュータは、ＣＰＵ６０１と、メモリ６０２と、図示しない外部機器との間でデータの出入力を行う出入力部６０３とを備える。
【００９７】
前述したフィールド生成部５０２は、このコンピュータ上で動作するプログラムとして実現されても良い。すなわち、コンピュータをフィールド生成部５０２として機能させるためのプログラムとして実現されても良い。また、フレームメモリ５０１およびフィールドメモリ５０３をメモリ６０２と共用しても良い。また、このコンピュータを一つの半導体集積回路上に実装しても良い。
【００９８】
＜その他の変形例＞
尚、図５のフレームメモリ５０１、フィールド生成部５０２およびフィールドメモリ５０３を有する画像変換装置として、本発明の一実施形態を実現することができる。この画像変換装置は、画像を表示部５０５に表示させるのに好適な形式に変換する。
【図面の簡単な説明】
【００９９】
【図１】本発明の第１の実施形態の画像表示装置の画面の構成を示す図。
【図２】本発明の第１の実施形態の画像表示装置に表示させる画像のデータ構造を示す図。
【図３】各ＬＥＤに対応する画素を含む２行２列の範囲にある画素を選択する処理の概要を示す図。
【図４】選択された各画素を含む３行３列の範囲にある画素から画素グループを生成する処理の概要を示す図。
【図５】本発明の第１の実施形態の画像表示装置の構成を示す図。
【図６】コンピュータの概略構成を示す図。
【図７】選択された各画素を含む２行２列の範囲にある画素から画素グループを生成する処理の概要を示す図。
【図８】フィールドを生成する処理の流れ図。
【符号の説明】
【０１００】
５０１  フレームメモリ
５０２  フィールド生成部
５０３  フィールドメモリ
５０４  ＬＥＤ駆動回路
５０５  表示部
【図１】
2006047911.tif 000008
【図２】
2006047911.tif 000009
【図３】
2006047911.tif 000010
【図４】
2006047911.tif 000011
【図５】
2006047911.tif 000012
【図６】
2006047911.tif 000013
【図７】
2006047911.tif 000014
【図８】
2006047911.tif 000015